(57)【特許請求の範囲】
【請求項１】
電磁波に対する遮蔽構造物の遮蔽性能を監視する性能監視部と、
前記遮蔽構造物へ入室しようとする入室者を入室前に検知する入室検知部と、
前記入室者を検知した後の入室時監視タイミングで前記遮蔽性能を監視する監視制御部と、を備える遮蔽性能監視システム。
【請求項２】
前記入室時監視タイミングは、検知された前記入室者の入室に十分な時間が経過した後である、請求項１の遮蔽性能監視システム。
【請求項３】
前記入室時監視タイミングは、前記入室者を検知した直後である、請求項１の遮蔽性能監視システム。
【請求項４】
前記入室時監視タイミングは、前記入室者を検知した直後と、検知された前記入室者の入室に十分な時間が経過した後とを含み、
前記監視制御部は、検知された前記入室者の入室に十分な時間が経過した後の前記遮蔽性能が、前記入室者を検出した直後の前記遮蔽性能に対して所定のしきい値を超えて低い事を検出すると警告を報知する、請求項１の遮蔽性能監視システム。
【請求項５】
電磁波に対する遮蔽構造物の遮蔽性能を監視する性能監視部と、
前記遮蔽構造物から退室しようとする退室者を退室前に検知する退室検知部と、
前記退室者を検知した後の退室時監視タイミングで前記遮蔽性能を監視する監視制御部と、を備える遮蔽性能監視システム。
【請求項６】
前記退室時監視タイミングは、検知された前記退室者の退室に十分な時間が経過した後である、請求項５の遮蔽性能監視システム。
【請求項７】
前記退室時監視タイミングは、前記退室者を検知した直後である、請求項５の遮蔽性能監視システム。
【請求項８】
前記退室時監視タイミングは、前記退室者を検知した直後と、検知された前記退室者の退室に十分な時間が経過した後とを含み、
前記監視制御部は、検知された前記退室者の退室に十分な時間が経過した後の前記遮蔽性能が前記退室者を検出した直後の前記遮蔽性能に対して所定のしきい値を超えて低い事を検出すると警告を報知する、請求項５の遮蔽性能監視システム。
【請求項９】
電磁波に対する遮蔽構造物の遮蔽性能を監視する性能監視部と、
前記遮蔽構造物へ入室しようとする入室者を入室前に検知する入室検知部と、
前記遮蔽構造物から退室しようとする退室者を退室前に検知する退室検知部と、
前記入室者を検知した後の入室時監視タイミングと前記退室者を検知した後の退室時監視タイミングとにおいて前記遮蔽性能を監視する監視制御部と、を備える遮蔽性能監視システム。
【請求項１０】
前記入室時監視タイミングは、前記入室者を検知した直後と、検知された前記入室者の入室に十分な時間が経過した後との少なくとも一方を含み、前記退室時監視タイミングは、前記退室者を検知した直後と、検知された前記退室者の退室に十分な時間が経過した後との少なくとも一方を含む、請求項９の遮蔽性能監視システム。
【請求項１１】
前記入室検知部は、前記入室者の認証機能を有し、
前記退室検知部は、前記退室者の認証機能を有し、
前記監視制御部は、前記入室者と前記入室時監視タイミングで監視した前記遮蔽性能とを記憶し、前記退室者と前記退室時監視タイミングで監視した前記遮蔽性能とを記憶し、退出時の前記遮蔽性能が同一人の入室時の前記遮蔽性能に対して所定のしきい値を超えて低い事を検出すると警告を報知する、請求項９又は請求項１０の遮蔽性能監視システム。
【請求項１２】
遮蔽構造物へ入室しようとする入室者を入室前に検知する工程と、
前記入室者を検知した後の入室時監視タイミングで電磁波に対する遮蔽構造物の遮蔽性能を監視する工程とを含む遮蔽性能監視方法。
【請求項１３】
遮蔽構造物から退室しようとする退室者を退室前に検知する工程と、
前記退室者を検知した後の退室時監視タイミングで前記遮蔽性能を監視する工程とを含む遮蔽性能監視方法。
【発明の詳細な説明】
【技術分野】
【０００１】
本発明は、電磁波を遮蔽する遮蔽構造物の性能を監視する遮蔽性能監視システム及び遮蔽性能監視方法に関する。
【背景技術】
【０００２】
密閉された空間や仕切られた空間を形成し電磁波を遮蔽する遮蔽構造物は、一般的に、竣工時に遮蔽性能を精密に評価される。しかしながら、遮蔽構造物の遮蔽性能は、遮蔽構造物を構成する壁、天井、扉、付帯設備等の経年劣化や事後の外乱によって遮蔽性能が劣化する。
【０００３】
特許文献１では、閉ざされた空間内の内外で信号を送受信することにより、遮蔽構造物の遮蔽性能を自動的に調べる遮蔽強度モニタリングシステムが提案されている。また、特許文献２では、段落０００５に記載のように電磁シールド室の性能が維持されているかどうかを常時監視し、性能低下時には警報を発するなどして、性能を確認できる手段を持つ電磁シールド監視システムが提案されている。
【０００４】
【特許文献１】米国特許第４９６２３５８号明細書
【特許文献２】特開２００２−９４２８８号
【発明の開示】
【発明が解決しようとする課題】
【０００５】
本発明者らは、従来のように遮蔽構造物の遮蔽性能を監視していたのでは、入退室中に遮蔽性能を測定してしまうことを避けられないとともに、人体への電磁波の暴露量が多い点に着目し、また、遮蔽性能の劣化が、意図的な工作など遮蔽構造物への入退室者の動作に関連することに着目した。
【０００６】
そこで、本発明は、遮蔽構造物内への入室者又は退室者と遮蔽性能の監視とを関連付けて遮蔽性能を監視することができる遮蔽性能監視システム及び遮蔽性能監視方法を提供することを目的とする。
【課題を解決するための手段】
【０００７】
第１の遮蔽性能監視システムは、電磁波に対する遮蔽構造物の遮蔽性能を監視する性能監視部と、遮蔽構造物へ入室しようとする入室者を入室前に検知する入室検知部と、入室者を検知した後の入室時監視タイミングで遮蔽性能を監視する監視制御部とを備える。さらに、第１の遮蔽性能監視システムにおいて入室時監視タイミングは、検知された入室者の入室に十分な時間が経過した後であることが好ましく、あるいは、入室時監視タイミングは、入室者を検知した直後であることが好ましい。さらに、第１の遮蔽性能監視システムにおいて入室時監視タイミングは、入室者を検知した直後と、検知された入室者の入室に十分な時間が経過した後とを含み、監視制御部は、検知された入室者の入室に十分な時間が経過した後の遮蔽性能が、入室者を検出した直後の遮蔽性能に対して所定のしきい値を超えて低い事を検出すると警告を報知することが好ましい。
【０００８】
第２の遮蔽性能監視システムは、電磁波に対する遮蔽構造物の遮蔽性能を監視する性能監視部と、遮蔽構造物から退室しようとする退室者を退室前に検知する退室検知部と、退室者を検知した後の退室時監視タイミングで遮蔽性能を監視する監視制御部とを備える。さらに、第２の遮蔽性能監視システムにおいて退室時監視タイミングは、検知された退室者の退室に十分な時間が経過した後であることが好ましく、あるいは、退室時監視タイミングは、退室者を検知した直後であることが好ましい。さらに、第２の遮蔽性能監視システムにおいて退室時監視タイミングは、退室者を検知した直後と、検知された退室者の退室に十分な時間が経過した後とを含み、監視制御部は、検知された退室者の退室に十分な時間が経過した後の遮蔽性能が退室者を検出した直後の遮蔽性能に対して所定のしきい値を超えて低い事を検出すると警告を報知することが好ましい。
【０００９】
第３の遮蔽性能監視システムは、電磁波に対する遮蔽構造物の遮蔽性能を監視する性能監視部と、遮蔽構造物へ入室しようとする入室者を入室前に検知する入室検知部と、遮蔽構造物から退室しようとする退室者を退室前に検知する退室検知部と、入室者を検知した後の入室時監視タイミングと退室者を検知した後の退室時監視タイミングとにおいて遮蔽性能を監視する監視制御部とを備える。さらに、第３の遮蔽性能監視システムにおいて入室時監視タイミングは、入室者を検知した直後と、検知された入室者の入室に十分な時間が経過した後との少なくとも一方を含み、退室時監視タイミングは、退室者を検知した直後と、検知された退室者の退室に十分な時間が経過した後との少なくとも一方を含むことが好ましい。また、さらに、第２の遮蔽性能監視システムにおいて入室検知部は、入室者の認証機能を有し、退室検知部は、退室者の認証機能を有し、監視制御部は、入室者と入室時監視タイミングで監視した遮蔽性能とを記憶し、退室者と退室時監視タイミングで監視した遮蔽性能とを記憶し、退出時の遮蔽性能が同一人の入室時の遮蔽性能に対して所定のしきい値を超えて低い事を検出すると警告を報知することが好ましい。
【００１０】
第１の遮蔽性能監視方法は、遮蔽構造物へ入室しようとする入室者を入室前に検知する工程と、入室者を検知した後の入室時監視タイミングで電磁波に対する遮蔽構造物の遮蔽性能を監視する工程とを含む。第２の遮蔽性能監視方法は、遮蔽構造物から退室しようとする退室者を退室前に検知する工程と、退室者を検知した後の退室時監視タイミングで遮蔽性能を監視する工程とを含む。
【発明の効果】
【００１１】
本発明によれば、入室者あるいは退室者の検知と遮蔽性能の監視タイミングとを関連付ける事ができる。
【発明を実施するための最良の形態】
【００１２】
図１の斜視図及びブロック図に示すように、遮蔽性能監視システム１は遮蔽構造物２と入退室検知部３と性能監視部４と監視制御部５と記憶部６と警報機７とを備える。
【００１３】
遮蔽構造物２は、電磁波を遮蔽する材料により空間を仕切る構造物であり、閉じた空間を形成している事が好ましく、本実施形態ではシールド室２１と予備室２２とを形成している。シールド室２１は、電磁波の出力元となるコンピュータ２５などがおかれた一般的なオフィスルームや電波暗室など、電磁波の漏洩あるいは侵入を防止しようとする空間である。予備室２２は、シールド室２１の前に設けられておりシールド室２１への入口前に設けられている。遮蔽構造物２は、第１の扉２３と第２の扉２４とを有している。第１の扉２３は、シールド室２１と予備室２２との間に設けられており、第２の扉２４は、予備室２２と遮蔽構造物２外の空間との間に設けられている。
【００１４】
入退室検知部３は、入室検知部３１と退室検知部３２とを有する。入室検知部３１は、第１の扉２３の予備室２２側の面に取り付けられている。退室検知部３２は、第１の扉２３のシールド室２１側の面に取り付けられている。入室検知部３１及び退室検知部３２は、指先の静脈パターンにより個人を識別する生体認証機能を有しており、シールド室２１に入室あるいはシールド室２１から退室しようとする者の指先の静脈パターンを読み取る事により、入室者及び退出者を検知して検知信号を出力し、入室者及び退出者の名前やIDなどの識別情報を出力し、あらかじめ許可された者である場合にのみ扉や鍵などを開ける信号を出力して入室を許可する。入室検知部３１及び退室検知部３２は、シールド室２１への入室者及び退室者を検出できれば他のシステムを用いたものであってもよく、ICカードなどを用いた認証システムのように個人を識別できるものである事が好ましい。
【００１５】
性能監視部４は、送信アンテナ４１と送信機４２と受信アンテナ４３と受信機４４とを有する。送信アンテナ４１は、シールド室２１内の天井の内側に設けられており、シールド室２１内のコンピュータ２５などで必要とされる情報とは無関係な電磁波をシールド室２１内に送信する。送信機４２は、送信アンテナ４１から送信される電磁波を制御する。受信アンテナ４３は、シールド室２１の外部に配置された例えば光電界センサで構成されており、本実施形態では遮蔽構造物２の外壁に設けられている。受信機４４は、受信アンテナ４３で受信された電磁波の受信パワーを監視結果として読み取る。送信機４２が送信アンテナ４１から電磁波を送信させ、受信機４４が遮蔽構造物２を通して受信アンテナ４３で受信された電磁波の受信パワーを読み取る事により、受信パワーに基づいて遮蔽構造物２の遮蔽性能を監視する事ができる。電磁波の送受信は、一度に数秒間である事が好ましい。
【００１６】
監視制御部５は、遮蔽性能監視方法を実行し、性能監視部４が遮蔽性能を監視するタイミングを指示するとともに、入退室検知部３との間で入室者及び退室者の検知及び識別に関する情報を送受信する。記憶部６は、監視制御部５が入退室検知部３から受信した入室者及び退室者の識別情報と、この識別情報に対応して監視制御部５が性能監視部４から受信した監視結果とを記憶する。さらに、記憶部６は、入室者の識別情報ごとに入室を許可するか否かを示す入室可否情報と、退室者の識別情報ごとに退室を許可するか否かを示す退室可否情報とを記憶している。なお、監視制御部５は記憶した時刻を共に記憶する事が望ましい。監視結果と時間とを記憶することにより遮蔽性能の経時的な変化を把握することができる。警報機７は、監視制御部５からの指令に基づいて、ランプ、音、画像、データなどにより警告を報知する。
【００１７】
監視制御部５の遮蔽性能監視方法の具体的内容を説明する。まず、図２のフロー図に沿って入室時の動作を説明する。監視制御部５は、入室者を検知した入室検知部３１から検知信号を入力すると（ステップＳ１０）、入室者の識別情報を入室検知部３１から入力し（ステップＳ１１）、検知された入室者があらかじめ許可された者であるかを識別情報と記憶部６の入室可否情報とに基づいて判断し、あらかじめ許可された者である場合にのみ扉の開放を許可する。監視制御部５は、入室検知部３１で入室者を検知した後の入室時監視タイミングで（ステップＳ１２）、性能監視部４に遮蔽性能の監視を行わせて監視結果を入力する（ステップＳ１３）。入室時監視タイミングは、入室者が検知されてからシールド室２１に完全に入室するまでの十分な時間が経過した後となるように設定されており、これにより入室時の扉の開閉操作中に監視が行われる事を避ける事ができる。監視制御部５は、遮蔽性能の監視結果を入室者の識別情報とともに記憶部６に記憶する（ステップＳ１４）。
【００１８】
次に、図３のフロー図に沿って退室時の動作を説明する。監視制御部５は、退室者を検知した退室検知部３２から検知信号を入力すると（ステップＳ２０）、退室者の識別情報を退室検知部３２から入力し（ステップＳ２１）、検知された退室者があらかじめ許可された者であるかを識別情報と記憶部６の退室可否情報とに基づいて判断し、あらかじめ許可された者である場合にのみ扉の開放を許可する。監視制御部５は、退室検知部３２で退室者を検知した後の退室時監視タイミングで（ステップＳ２２）、性能監視部４に遮蔽性能の監視を行わせて監視結果を入力する（ステップＳ２３）。退室時監視タイミングは、退室者が検知されてからシールド室２１から完全に退室するまでの十分な時間が経過した後になるように設定されており、これにより退室時の扉の開閉操作中に監視が行われる事を避ける事ができる。監視制御部５は、遮蔽性能の監視結果を退室者の識別情報とともに記憶部６に記憶する（ステップＳ２４）。
【００１９】
監視制御部５は、入室時の監視結果と退室時の監視結果との間に所定のしきい値より大きな差があれば（ステップＳ２５）、警報機７に警告を報知させる（ステップＳ２６）。入退室時の監視結果の比較は、入室者と退室者とが同一人である場合に行う事が望ましい。入退室時の監視結果を比較する事により、シールド室２１に意図的な工作がされたかを監視する事ができる。
【００２０】
なお、監視制御部５は、入室者の検知直後に遮蔽性能の監視を行い、入室前後の監視結果の間に所定のしきい値より大きな差があれば警報機７に警告を報知させるようにしてもよく、入室者の検知直後とは扉の開錠や扉の開放前であることが好ましく、入室者の検知後、遮蔽性能の監視が終了するまで扉を開けないようにすることが好ましい。又、監視制御部５は、入室時の監視結果として入室前の監視結果を用いてもよい。又、監視制御部５は、退室者の検知後直ちに遮蔽性能の監視を行い、退室前後の監視結果の間に所定のしきい値より大きな差があれば警報機７に警告を報知させるようにしてもよく、退室者の検知直後とは扉の開錠や扉の開放前であることが好ましく、退室前の遮蔽性能の監視が終了するまで扉を開けないようにすることが好ましい。又、監視制御部５は、退室時の監視結果として退室前の監視結果を用いてもよく、入室時の監視結果と退室時の監視結果との間に所定のしきい値より大きな差があれば扉を開けないようにすることが好ましい。
【００２１】
本実施形態の遮蔽性能監視システム１によれば、入室者あるいは退室者の検知と遮蔽性能の監視タイミングとを関連付ける事ができる。又、監視結果を記憶する事により、遮蔽性能の経年変化を把握する事ができる。又、識別情報を記憶する事により特定人との遮蔽性能の劣化との関係を把握する事ができる。入室者及び退室者を検知したときに遮蔽性能の監視を行うため、常時監視している場合や長時間監視する場合に比較してむやみに電磁波を発生させる事を極力抑えて省エネルギー化を図る事ができ、室内にいる人員への電磁波の暴露量を最小限に留める事ができ、他の情報通信機器への影響を最小限に留める事ができる。又、ドアの開閉に連動させないことにより、ドアの開放中に遮蔽性能の監視を行った場合のような電磁波漏洩を防止することができる。
【図面の簡単な説明】
【００２２】
【図１】遮蔽性能監視システムの遮蔽構造物の付近の斜視図及びこれを制御する信号系統のブロック図である。
【図２】入室時の遮蔽性能監視方法のフロー図である。
【図３】退室時の遮蔽性能監視方法のフロー図である。
【符号の説明】
【００２３】
１；遮蔽性能監視システム、２；遮蔽構造物、３；入退室検知部、４；性能監視部、
５；監視制御部、６；記憶部、７；警報機、２１；シールド室、２２；予備室、
２３；第１の扉、２４；第２の扉、２５；コンピュータ、３１；入室検知部、
３２；退室検知部、４１；送信アンテナ、４２；送信機、４３；受信アンテナ、
４４；受信機。
【図１】
0004526033.tif 000002
【図２】
0004526033.tif 000003
【図３】
0004526033.tif 000004